(57)【要約】【課題】重なり合った状態であっても正確な通信を行うことができる非接触情報媒体とこれを用いた通信システムを実現すること。【解決手段】本発明にかかる通信システム１は、リーダライタ２０との通信とＩＣチップ１５への誘導電流の供給とを制御するスイッチ１６を備えた非接触情報媒体１０と、リーダライタ２０とを有する。また、非接触情報媒体１０のスイッチ１６を制御するスイッチ制御器３０を備える。本発明にかかる通信システム１は、複数の非接触情報媒体１０のスイッチ１６をスイッチ制御器３０によって順次に切り替えて非接触情報媒体１０とリーダライタ２０との通信を行う。このため、非接触情報媒体１０が重なり合った状態であっても、正確な通信を行うことが可能となる。【選択図】      図１
2005031749.tif 000002
【特許請求の範囲】
【請求項１】
コイルと、前記コイルと共振回路を形成するコンデンサと、外部装置との間で送受信する情報を制御する制御回路とを備えた非接触情報媒体において、
前記コイル、前記コンデンサ、前記制御回路、または、これらの間の接続部上の少なくとも一箇所に通信機能を阻止するスイッチング手段を備えたことを特徴とする非接触情報媒体。
【請求項２】
前記スイッチング手段は、前記コイルに発生した誘導電流を前記制御回路に供給するエネルギー供給機能を阻止することを特徴とする請求項１に記載の非接触情報媒体。
【請求項３】
前記スイッチング手段は、光スイッチであることを特徴とする請求項１または２に記載の非接触情報媒体。
【請求項４】
前記スイッチング手段は、磁気スイッチであることを特徴とする請求項１または２に記載の非接触情報媒体。
【請求項５】
前記スイッチング手段は、機械式スイッチであることを特徴とする請求項１または２に記載の非接触情報媒体。
【請求項６】
複数の前記スイッチング手段を備えたことを特徴とする請求項１〜５のいずれか一つに記載の非接触情報媒体。
【請求項７】
請求項１〜６のいずれか一つに記載の非接触情報媒体と、
前記非接触情報媒体に備わる前記スイッチング手段のスイッチングを制御するスイッチング制御器と、
前記非接触情報媒体へのエネルギーの供給およびデータの送信を行うとともに、前記非接触情報媒体からの送信データを受信するリーダライタと、
を備え、電磁誘導を利用して前記非接触情報媒体と前記リーダライタとの間の無線通信を行うことを特徴とする通信システム。
【請求項８】
前記リーダライタは、前記スイッチング制御部が前記スイッチング手段をオン状態とする間、前記非接触情報媒体とデータの送受信を行うことを特徴とする請求項７に記載の通信システム。
【発明の詳細な説明】
【０００１】
【発明の属する技術分野】
この発明は、非接触情報媒体およびこれを用いる通信システムに関し、特に非接触情報媒体が重なり合った状態でも正確に通信を行うことができ、複数の非接触情報媒体の中から通信を行うことができない非接触情報媒体を簡易に特定することができる非接触情報媒体と、この非接触情報媒体を用いる通信システムに関するものである。
【０００２】
【従来の技術】
情報媒体は媒体に内蔵されているＩＣチップとリーダライタとの通信方法によって、接触型と非接触型に分類される。このうち、非接触型は、リーダライタとの接触がないため接触不良を生じず、リーダライタから離れた移動使用が可能である。また、非接触型は、汚れ、雨、静電気に強いなどの特徴があり、セキュリティ性も高いことから需要が増加している。
【０００３】
たとえば、非接触情報媒体は、リーダライタから受信した電磁波を利用して電磁誘導によって動作電力を得るとともに、電波を利用してリーダライタとの間でデータを交換する。そして、非接触情報媒体とリーダライタはこの電波を送受信するためのアンテナをそれぞれ内蔵している。
【０００４】
図１２は、従来の非接触情報媒体の概要構成を示す図である。従来の非接触情報媒体２１０は、外部からの電力の受け取りとデータの送受信とを行うアンテナとして機能するコイル２１３と、コイル２１３と共振回路を形成するコンデンサ２１４と、非接触情報媒体２１０の動作を制御するＩＣチップ２１５とを有する。図１２に示すように、非接触情報媒体２１０は、ＩＣチップ２１５をほぼ中央部に配置し、その周囲にコイル２１３を設けている。
【０００５】
この非接触情報媒体２１０が動作するためには、交流電流が流れるリーダライタに非接触情報媒体２１０を近接する。この結果、非接触情報媒体２１０のコイル２１３とコンデンサ２１４とが共振し、誘導起電力が生じてコイル２１３に誘導電流が流れる。この誘導電流がＩＣチップ２１５の電源用電力となってＩＣチップ２１５が動作し、非接触情報媒体２１０はコイル２１３を介してリーダライタにデータを送信する。このように、リーダライタと非接触情報媒体２１０のコイル２１３との電磁結合によって、非接触情報媒体２１０とリーダライタとの間でデータの送受信が行われる（特許文献１参照）。
【０００６】
【特許文献１】
特開２００１−３４７２５号公報
【０００７】
【発明が解決しようとする課題】
しかしながら、従来の非接触情報媒体はお互いに影響を及ぼさない配置での利用を想定していたため、複数の非接触情報媒体が近傍に配置された場合や重なりあった場合にはデータの送受信が正確に行えないという問題があった。図１３に示すように、特に同形状の非接触情報媒体２１０が重なりあった場合にはアンテナであるコイル２１３の位置が同じ位置となり、相互の非接触情報媒体が干渉し合うことによって共振周波数が乱れ、通信状態が不安定になったり通信不能に陥ったりするためである。
【０００８】
また、複数の非接触情報媒体の中にリーダライタとの通信を行うことができない非接触情報媒体が含まれていた場合、この通信を行うことができない非接触情報媒体を特定することができなかった。このため、一部の非接触情報媒体のデータが欠損したままとなり、リーダライタは正確な通信結果を読み取ることができないという問題があった。
【０００９】
さらに、リーダライタから非接触情報媒体に給電する場合、通信可能エリア内にある複数の非接触情報媒体の全てと通信を行うために、リーダライタはある程度の給電能力を備える必要がある。しかし、非接触情報媒体の個数が多い場合には、リーダライタは効率のよい給電を行うことができなかった。
【００１０】
この発明は、上記した従来技術の欠点に鑑みてなされたものであり、正確な通信を行うため、重なり合った状態であっても通信が可能である非接触情報媒体とこの非接触情報媒体を用いた通信システムを提供することを目的とする。
【００１１】
【発明が解決しようとする手段】
請求項１にかかる非接触情報媒体は、コイルと、前記コイルと共振回路を形成するコンデンサと、外部装置との間で送受信する情報を制御する制御回路とを備えた非接触情報媒体において、前記コイル、前記コンデンサ、前記制御回路、または、これらの間の接続部上の少なくとも一箇所に通信機能を阻止するスイッチング手段を備えたことを特徴とする。
【００１２】
本発明にかかる非接触情報媒体によれば、非接触情報媒体の通信機能を制御するスイッチング手段を備えることによって、複数の非接触情報媒体が近傍にある場合であっても、通信の対象となる非接触情報媒体のスイッチング手段だけをオン状態とすることで、通信の対象となる非接触情報媒体と外部装置は正確な通信を行うことがきる。
【００１３】
請求項２にかかる非接触情報媒体は、前記スイッチング手段は、前記コイルに発生した誘導電流を前記制御回路に供給するエネルギー供給機能を阻止することを特徴とする。
【００１４】
請求項３にかかる非接触情報媒体は、前記スイッチング手段は、光スイッチであることを特徴とする。
【００１５】
請求項４にかかる非接触情報媒体は、前記スイッチング手段は、磁気スイッチであることを特徴とする。
【００１６】
請求項５にかかる非接触情報媒体は、前記スイッチング手段は、機械式スイッチであることを特徴とする。
【００１７】
請求項６にかかる非接触情報媒体は、複数の前記スイッチング手段を備えたことを特徴とする。
【００１８】
請求項７にかかる通信システムは、請求項１〜６のいずれか一つに記載の非接触情報媒体と、前記非接触情報媒体に備わる前記スイッチング手段のスイッチングを制御するスイッチング制御器と、前記非接触情報媒体へのエネルギーの供給およびデータの送信を行うとともに、前記非接触情報媒体からの送信データを受信するリーダライタと、を備え、電磁誘導を利用して前記非接触情報媒体と前記リーダライタとの間の無線通信を行うことを特徴とする。
【００１９】
請求項８にかかる通信システムは、前記リーダライタは、前記スイッチング制御部が前記スイッチング手段をオン状態とする間、前記非接触情報媒体とデータの送受信を行うことを特徴とする。
【００２０】
【発明の実施の形態】
以下に図面を参照して、この発明にかかる実施の形態である非接触情報媒体およびこれを用いた通信システムについて説明する。なお、この実施の形態によりこの発明が限定されるものではない。また、図面の記載において、同一部分には同一の符号を付している。
【００２１】
まず、実施の形態にかかる通信システムについて説明する。本実施の形態における非接触情報媒体は、非接触情報媒体の通信機能を阻止するスイッチを備え、このスイッチがオン状態である間に外部装置と通信を行う。
【００２２】
図１は、本実施の形態である通信システムの構成を示す概略斜視図である。通信システム１は、リーダライタ２０と無線通信を行う非接触情報媒体１０と、非接触情報媒体１０に対しデータの送受信を行うリーダライタ２０とを有する。非接触情報媒体１０は、所定帯域の波長の光を受光する間オン状態となり、所定帯域の波長の光を受光しない間はオフ状態であるスイッチ１６を備える。また、通信システム１は、非接触情報媒体１０のスイッチ１６に所定帯域の波長の光を照射する照射部３１を備えたスイッチ制御器３０を有する。ここで、非接触情報媒体１０は、照射部３１からの光を受けスイッチ１６がオン状態である間にリーダライタ２０との無線通信を行う。また、リーダライタ２０は、電力の供給とデータの送受信を行うリーダ用アンテナ２２と、送受信するデータを処理する処理部２４と、データの出力部２６と、リーダライタ２０の動作を入力する入力部２８とを備える。なお、本実施の形態では、非接触情報媒体１０の例として、パチンコ遊技場において遊戯客が獲得した遊戯媒体数に応じて交換される景品であって貨幣との交換価値を有する物品を備えている、いわゆる特殊景品について説明する。
【００２３】
つぎに、図１と図２を参照して、本実施の形態における非接触情報媒体１０について詳細に説明する。図２は、非接触情報媒体１０の概要構成を示す図である。図２は、非接触情報媒体１０の内部を模式的に示している。図２に示すように、非接触情報媒体１０は、コイル１３と、コンデンサ１４と、ＩＣチップ１５と、スイッチ１６とを有する。また、コイル１３とコンデンサ１４とを接続する接続部１７と、コンデンサ１４とＩＣチップ１５とを接続する接続部１８とを有する。
【００２４】
コイル１３は、ＩＣチップ１５の周囲に設けられている。コイル１３は、交流電流が流れるリーダ用アンテナ２２に、通信可能状態である非接触情報媒体１０が近接したときに誘導起電力を発生する。そして、コイル１３は、接続するＩＣチップ１５に誘導電流を供給する。また、コイル１３は、リーダライタ２０からの電波を受信しＩＣチップ１５に送信するとともに、ＩＣチップ１５からのデータをリーダライタ２０に送信するアンテナとしても機能する。コンデンサ１４は、所定の静電容量を有し、コイル１３のインダクタンスと協同して送受信用電波の周波数に共振する共振回路を形成する。共振回路の共振周波数を送受信用電波の周波数に一致させれば、コイル１３とコンデンサ１４とに大きな電流を流すことが可能となる。また、ＩＣチップ１５は、コイル１３から誘導電流を供給されることによって電力を得て動作可能となる。ＩＣチップ１５は、電波を受信し、データに応じた搬送波をコイル１３に送信する送受信部１５ａと、受信した電波に対するデータを制御する制御部１５ｂと、所定のデータを格納するメモリ１５ｃとを備え、送受信するデータを制御する。メモリ１５ｃは、たとえば、ＩＤ情報や所定の金種や店舗番号や暗号データなどを格納する。
【００２５】
そして、スイッチ１６は、コイル１３上に設けられており、スイッチ１６がオン状態となることによってコイル１３の回路が導通する。このスイッチ１６は、データの送受信とＩＣチップ１５への誘導電流の供給とを制御している。このため、スイッチ１６がオン状態のときには、コイル１３の回路は導通し誘導電流を発生させ、ＩＣチップ１５は動作可能となる。この場合、非接触情報媒体１０はリーダライタ２０との通信を行うことが可能となる。一方、スイッチ１６がオフ状態のときには、コイル１３の回路は導通せず、ＩＣチップ１５には誘導電流が供給されないためＩＣチップ１５は動作しない。この場合、非接触情報媒体１０は、リーダライタ２０との通信を行うことができない。したがって、リーダライタ２０は、複数の非接触情報媒体１０が近接している場合であっても、スイッチ１６がオン状態である非接触情報媒体１０のみと通信を行う。
【００２６】
また、スイッチ１６は、外部から所定帯域の波長の光を受信する間、オン状態となり、それ以外の間はオフ状態である光スイッチである。本実施の形態では、スイッチ制御器３０の照射部３１が、スイッチ１６に所定帯域の波長の光を照射することによって、スイッチ１６をオン状態とする。また、照射部３１から所定帯域の波長の光が照射されてない間は、スイッチ１６はオフ状態である。
【００２７】
つぎに、通信システム１の動作について説明する。図３は、通信システム１の動作を説明した図である。図３に示すように、非接触情報媒体１０では、オフ状態であったスイッチ１６がスイッチ制御器３０の照射部３１と向かい合い、照射部３１からの光を受光する。この間、非接触情報媒体１０のスイッチ１６はオン状態となる。そして、スイッチ１６がオン状態となることによって、非接触情報媒体１０のコイル１３の回路は導通し、非接触情報媒体１０は通信可能状態となる。
【００２８】
このとき、交流電流が流れているリーダ用アンテナ２２に、スイッチ１６がオン状態である非接触情報媒体１０が近接すると、非接触情報媒体１０のコイル１３とコンデンサ１４とが共振し誘導起電力が生じてコイル１３に誘導電流が流れる。この誘導電流がＩＣチップ１５に流れ、ＩＣチップ１５の電源用電力となる。送受信部１５ａはコイル１３が受信した電波を受信し、制御部１５ｂはこの電波に応じたデータをメモリ１５ｃから取出し、所定の場合はメモリ１５ｃのデータを書き換える。送受信部１５ａは、この送信データに応じて変化した搬送波をコイル１３に送信し、コイル１３は、この搬送波をリーダライタ２０に送信する。そして、照射部３１からの光を受光しない間は非接触情報媒体１０のスイッチ１６はオフ状態となり、非接触情報媒体１０は通信不可能状態となる。
【００２９】
たとえば、図４に示すように、非接触情報媒体１０ａ〜１０ｇは、ケース４０に所定の向きに複数重ねて配置される。このとき、非接触情報媒体１０は、スイッチ制御器３０に近接したときに、スイッチ制御器３０の照射部３１とスイッチ１６とが向かい合うように並べられる。また、ケース４０は、たとえば、非接触情報媒体１０のスイッチ１６が対応する部分を、所定帯域の波長の光が透過できる材料で構成した透過部４１を備える。非接触情報媒体１０を通信可能状態とするために、照射部３１からの光をスイッチ１６まで透過させることを要するからである。なお、ケース４０は、透過部４１を備える代わりに照射部３１からの光が通過できるよう非接触情報媒体１０のスイッチ１６が対応する部分に穴を設けた構成としてもよい。
【００３０】
そして、複数の非接触情報媒体１０のスイッチ１６が照射部３１からの光を順次受光できるように、図４に示す矢印にしたがってケース４０を移動する。照射部３１に向かい合う位置に移動した非接触情報媒体１０ａは、透過部４１を介してスイッチ１６ａに照射部３１からの光を受光することができる。光を受光する間スイッチ１６ａがオン状態となり、非接触情報媒体１０ａは通信可能状態となってリーダライタ２０との通信を行う。つぎに、この非接触情報媒体１０ａが照射部３１に向かい合う位置から移動すると、スイッチ１６ａは光を受光しないためオフ状態となる。このとき、次に照射部３１と向かい合う位置に移動した非接触情報媒体１０ｂは、スイッチ１６ｂに照射部３１からの光を受光し、リーダライタ２０と通信を行う。このように、非接触情報媒体１０を複数配置したケース４０を移動し照射部３１とスイッチ１６とを順次向かい合わせることによって、非接触情報媒体１０ａ〜１０ｇの全てとリーダライタ２０とは通信を行う。
【００３１】
従来、複数の動作可能状態である非接触情報媒体が近傍に配置している場合や重なり合った状態では、お互いのコイルやコンデンサが相互に干渉しデータの送受信が正確に行えなかった。しかし、複数の非接触情報媒体が近傍に配置する場合であっても、通信不可能状態である非接触情報媒体からの影響は極めて小さいと考えられる。本実施の形態における非接触情報媒体１０は、スイッチ１６を備えることによって、通信可能状態または通信不可能状態のいずれかの状態を選択することが可能である。このため、複数の非接触情報媒体１０が重なり合った状態であっても、通信の対象である非接触情報媒体１０以外の非接触情報媒体１０のスイッチ１６をオフ状態とし通信不可能状態とすることによって、オン状態である非接触情報媒体１０とリーダライタ２０とは正確に通信を行うことができる。また、通信が終了した後、スイッチ１６をオン状態とする非接触情報媒体１０を順次替えることで全ての非接触情報媒体１０との通信を完了することが可能である。
【００３２】
また、上述したように、非接触情報媒体１０は、所定帯域の波長の光を受光する間スイッチ１６がオン状態となり、リーダライタ２０との通信を行うことができる。このため、複数の非接触情報媒体１０が近傍に配置する場合であっても、照射部３１からの光を受光している非接触情報媒体１０が、リーダライタ２０と通信を行っていることとなる。したがって、複数の非接触情報媒体１０の中から、リーダライタ２０との通信を行っている非接触情報媒体１０を特定することが可能となる。
【００３３】
また、スイッチに光が照射されていた場合であっても、リーダライタ２０との通信を行うことができなかった非接触情報媒体は、ＩＣチップの欠落等の不具合を有する非接触情報媒体であると考えられる。このため、本実施の形態では、スイッチに光が照射されていた場合であってもリーダライタ２０との通信を行うことができなかった非接触情報媒体を特定することによって、複数の非接触情報媒体の中から不具合を有する非接触情報媒体を特定することが可能となる。また、通信を行うことができない非接触情報媒体を含む複数の非接触情報媒体１０に対して通信を行う場合であっても、不具合を有する非接触情報媒体を特定することによって、残った非接触情報媒体１０との通信を正確に行うことができる。
【００３４】
また、リーダライタ２０は、スイッチ１６がオン状態である非接触情報媒体１０に給電を行う。すなわち、リーダライタ２０は、スイッチ１６がオフ状態である非接触情報媒体１０には給電を行わない。このため、本実施の形態では、多数の非接触情報媒体１０を読み取り対象とする場合であっても、非接触情報媒体１０のスイッチ１６に順次に光を照射しスイッチ１６を次々にオン状態に切り替えることによって、リーダライタ２０は給電を効率よく行うことが可能となる。したがって、本実施の形態では、リーダライタ２０の給電能力を過度に備える必要がない。
【００３５】
また、本実施の形態における非接触情報媒体１０は、スイッチ１６がスイッチ制御器３０からの光を受ける間に非接触情報媒体１０のスイッチ１６がオン状態となってリーダライタ２０との通信が可能となる。すなわち、リーダライタ２０は、スイッチ制御器３０の照射部３１からの光を非接触情報媒体１０のスイッチ１６に照射しなければ、非接触情報媒体１０のデータを読み取れないため、セキュリティ性も高い。
【００３６】
なお、通信システム１は、非接触情報媒体１０を配置したケース４０を移動させて、非接触情報媒体１０のスイッチを順次オン状態とする場合について説明したが、これに限らず、非接触情報媒体１０のスイッチ１６と照射部３１とが順次向かい合うようにスイッチ制御器３０を移動させて、スイッチ１６を順次オン状態としてもよい。
【００３７】
また、図１および図４では、スイッチ１６を非接触情報媒体１０の側面の大部分を占める状態で説明したが、これに限らず、スイッチ１６は照射部３１からの光を受光できる程度の大きさであればよい。また、スイッチ１６は、非接触情報媒体１０の側面に限らず、非接触情報媒体１０とスイッチ制御器３０とが近接した場合に、非接触情報媒体１０とリーダライタ２０とが通信を行う間、照射部３１からの光を受光できる位置にあればよい。
【００３８】
また、図５に示すように、複数の非接触情報媒体１０のスイッチ１６に同時に光を照射することが可能である照射部３３を備えるスイッチ制御器３２を用いてもよい。この場合、照射部３３からの一度の照射によって、複数の非接触情報媒体１０のスイッチ１６をオン状態とすることもできる。また、リーダライタ２０は、同時に複数の非接触情報媒体１０を処理するアンチコリジョン機能を備えていてもよい。
【００３９】
また、通信システム１は、複数の非接触情報媒体１０に対して複数回に分けて通信を行ってもよい。たとえば、照射部３１が、所定個数の非接触情報媒体１０のスイッチ１６に光を照射する。そして、スイッチ１６がオン状態となった非接触情報媒体１０とリーダライタ２０とが通信を行う。次いで、照射部３１が、通信を行っていない所定個数の非接触情報媒体１０のスイッチ１６に光を照射し、オン状態となった非接触情報媒体１０とリーダライタ２０とが通信を行う。
【００４０】
また、リーダライタ２０は、同じ非接触情報媒体１０と複数回通信を行ってもよい。たとえば、リーダライタ２０が、１度目の通信で非接触情報媒体１０のデータが受信できなかった場合には、２度目の通信で非接触情報媒体１０のデータを受信することが可能となる。このように、同じ非接触情報媒体１０と複数回通信を行うことで、非接触情報媒体１０とリーダライタ２０とは、確実に通信を行うことができる。
【００４１】
また、図６に示すように、リーダライタ２０は、平面状に並べた非接触情報媒体１０８と通信を行ってもよい。この場合、非接触情報媒体１０８は、照射部３１と向かい合う位置にスイッチ１６を備える。非接触情報媒体１０８またはスイッチ制御器３１が移動することによって、複数の非接触情報媒体１０８のスイッチ１６は照射部３１からの光を順次受光する。このように、非接触情報媒体１０８が平面状に配置された場合であっても、スイッチ１６を備えることによって、正確な通信が可能となる。
【００４２】
また、図２では、コイル１３上にスイッチ１６を設けた非接触情報媒体１０を説明したが、これに限らず、図７に示すように、コンデンサ１４の回路内にスイッチ１６を設けた非接触情報媒体１１０としてもよい。また、図８に示すように、コンデンサ１４とＩＣチップ１５との接続部１８上にスイッチ１６を設けた非接触情報媒体１１２としてもよい。また、図示しないが、コイル１３とコンデンサ１４との接続部１７上にスイッチ１６を設けた構造としてもよい。さらに、ＩＣチップ１５の回路内部にスイッチ１６を設けた構造としてもよい。上述したいずれかの箇所にスイッチ１６を設けることによって、リーダライタ２０に対する通信とＩＣチップ１５への誘導電流の供給とを制御することが可能となる。
【００４３】
また、図１〜図４では、光スイッチであるスイッチ１６を備えた非接触情報媒体１０を説明したが、これに限らず、図９に示すように、所定の磁界強度を受けオン状態となる磁気スイッチ１６１を備えた非接触情報媒体１１４としてもよい。このような磁気スイッチ１６１を備えた場合にも、リーダライタ２０に対する通信とＩＣチップ１５への誘導電流の供給とを制御することが可能となる。ただし、この磁気スイッチ１６１を制御する磁石などの磁気発生部３５を備えたスイッチ制御器３４を用いて、非接触情報媒体１１４の磁気スイッチ１６１をオン状態とする。非接触情報媒体１１４は、磁気発生部３５を中心とした所定のエリア内ではオン状態となり、それ以外ではオフ状態となる。
【００４４】
また、上述した非接触情報媒体１０および非接触情報媒体１１４に限らず、図１０に示すように、所定の圧力を受けて押されることによってオン状態となるスイッチ１６２を備えた非接触情報媒体１１６としてもよい。このスイッチ１６２は、押されている間はオン状態となるが、それ以外ではバネなどによりスイッチ１６２が戻されオフ状態となる。このように、所定の圧力によって制御される機械式のスイッチ１６２を備えた場合にも、リーダライタ２０に対する通信とＩＣチップ１５への誘導電流の供給とを制御することが可能となる。ただし、このスイッチ１６２を制御する所定の圧力を加えるスイッチ押部３７を備えたスイッチ制御器３６を用いて、非接触情報媒体１１６のスイッチ１６２をオン状態とする。たとえば、スイッチ押部３７は、スイッチ１６２との摩擦が少ないローラを用いてもよい。複数の非接触情報媒体１１６のスイッチ１６２とローラとが次々と接触するように、スイッチ制御器３６を移動することによって、スイッチ１６２を順次オン状態とすることができる。さらに、本実施の形態におけるスイッチは、上述したスイッチ１６，１６１，１６２に限らず、所定温度となることによってオン状態となる感温式のスイッチとしてもよい。ただし、所定の温度をスイッチに与える加熱部を備えたスイッチ制御器を用いて、感温式のスイッチを制御する必要がある。また、所定容量の静電容量が近接することによってオン状態となる静電容量式のスイッチとしてもよい。ただし、所定の静電容量を与える部分を備えたスイッチ制御器を用いて、静電容量式のスイッチを制御する必要がある。
【００４５】
また、単数のスイッチ１６を備えた非接触情報媒体１０について説明したが、これに限らず、図１１に示すように、複数のスイッチ１６をコイル１３上に備えた非接触情報媒体１１８としてもよい。この場合、スイッチ１６が備えられている箇所に対応して複数の照射部３１を備えたスイッチ制御器を用いてスイッチ１６の制御を行う。あるいは、スイッチ１６が備えられている箇所に対応して配置される複数のスイッチ制御器３０を用いて、スイッチ１６の制御を行う。このように、非接触情報媒体１０に複数のスイッチ１６を備えることによって、非接触情報媒体１１８を所定の向きに固定する必要がなくなる。なお、複数のスイッチ１６は、コンデンサ１４の回路内、接続部１７、接続部１８、ＩＣチップ１５の回路内のいずれにも設けることができる。
【００４６】
また、ＩＣチップ１５のメモリには、たとえば、ＩＤ情報や所定の金種や店舗番号や暗号データなどを格納することができる。このうち、金種は、非接触情報媒体１０が備える物品の価値を表す。また、店舗番号は、非接触情報媒体１０が流通した店舗を特定する番号であり、店舗番号を参照することによって出非接触情報媒体１０の流通経路を把握する。また、メモリ１５ｃは、貨幣との交換前または交換後であることを示すデータも含む。さらに、暗号データを格納することによって、偽造品の流通を防止する。なお、暗号データとしては、たとえば、個々のＩＣチップの固有番号に対して固有の処理をした結果などがある。データの読取装置であるリーダライタ２０は、この固有の処理を行い、リーダライタ２０の処理結果とメモリ１５ｃが格納する暗号データとを比較し、一致すれば正規品であり、不一致であれば偽造品であるとの判定を行う。このようにリーダライタ２０は、メモリ１５ｃに格納されるデータを読み書きすることによって、非接触情報媒体１０の流通を簡易に把握することが可能となる。
【００４７】
また、ＩＣチップ１５は、送受信部１５ａと制御部１５ｂとメモリ１５ｃとを備えるとして説明したが、これに限らず、送受信部１５ａとメモリ１５ｃとを備える構造としてもよい。
【００４８】
また、本実施の形態では、バッテリー機能を内部に備えていない非接触情報媒体について説明したが、これに限らず、バッテリー機能を内部に備えた非接触情報媒体としてもよい。このような場合でも、通信を阻止するスイッチを非接触情報媒体の内部に設けることができる。
【００４９】
また、本実施の形態では非接触情報媒体１０をいわゆる特殊景品として使用する場合について説明したが、これに限らず、カード、病院で使用されるカルテ、書籍、封筒、用紙などの物品として用いることや、同形状または似通った形状の箱、容器、パッケージ等の物品に内蔵する非接触情報媒体として用いることもできる。上述したような物品が近傍に配置された場合や重なりあった場合であっても、本実施の形態における非接触情報媒体を備えることによって、正確な通信が可能となるとともに、不具合を有する非接触情報媒体を特定することが可能である。
【００５０】
【発明の効果】
以上説明したように、本発明にかかる非接触情報媒体および通信システムによれば、外部装置が制御するスイッチを備えた非接触情報媒体を用いて、特定の非接触情報媒体を動作可能とすることにより、複数の非接触情報媒体が近傍にある場合でも正確な通信を行うことが可能となる。
【００５１】
また、本発明にかかる非接触情報媒体および通信システムによれば、スイッチをオン状態とする処理を行ったにも関わらず通信を行うことができない非接触情報媒体を特定することによって、不具合を備えた非接触情報媒体を特定することができる。さらに、不具合を備えた非接触情報媒体を含む場合であっても、複数の非接触情報媒体に対して正確な通信を行うことができる。
【図面の簡単な説明】
【図１】本実施の形態である通信システムの構成を示す概略斜視図である。
【図２】本実施の形態における非接触情報媒体の概要構成を示す図である。
【図３】本実施の形態である通信システムの動作を説明した図である。
【図４】本実施の形態である通信システムの動作を説明した図である。
【図５】本実施の形態における非接触情報媒体とスイッチ制御器との概要構成の他の例を示した図である。
【図６】本実施の形態ある通信システムの構成を示す概略斜視図の他の例を示した図である。
【図７】本実施の形態における非接触情報媒体の概要構成の他の例を示した図である。
【図８】本実施の形態における非接触情報媒体の概要構成の他の例を示した図である。
【図９】本実施の形態における非接触情報媒体とスイッチ制御器との概要構成の他の例を示した図である。
【図１０】本実施の形態における非接触情報媒体とスイッチ制御器との概要構成の他の例を示した図である。
【図１１】非接触情報媒体の概要構成の他の例を示した図である。
【図１２】従来の非接触情報媒体の概要構成を示す図である。
【図１３】同形状の非接触情報媒体が重なりあった状態を説明する図である。
【符号の説明】
１  通信システム
１０、１０８、１１０、１１２、１１４、１１６、１１８  非接触情報媒体
１３  コイル
１４  コンデンサ
１５  ＩＣチップ
１５ａ  送受信部
１５ｂ  制御部
１５ｃ  メモリ
１６、１６２  スイッチ
１６１  磁気スイッチ
１７、１８  接続部
２０  リーダライタ
２２  リーダ用アンテナ
２４  処理部
２６  出力部
２８  入力部
３０、３２、３４、３６  スイッチ制御器
３１、３３  照射部
３５  磁気発生部
３７  スイッチ押部
４０  ケース
４１  透過部
２１０  非接触情報媒体
２１３  コイル
２１４  コンデンサ
２１５  ＩＣチップ
【図１】
2005031749.tif 000003
【図２】
2005031749.tif 000004
【図３】
2005031749.tif 000005
【図４】
2005031749.tif 000006
【図５】
2005031749.tif 000007
【図６】
2005031749.tif 000008
【図７】
2005031749.tif 000009
【図８】
2005031749.tif 000010
【図９】
2005031749.tif 000011
【図１０】
2005031749.tif 000012
【図１１】
2005031749.tif 000013
【図１２】
2005031749.tif 000014
【図１３】
2005031749.tif 000015